(57)【要約】      （修正有）【課題】  広告媒体上の広告に対応した関連情報をウェブページとして提供すると共に顧客が広告媒体を読むことによって示す関心を通じて市場調査できるようにする。【解決手段】  広告を１又は複数の広告単位に分けて掲載した広告媒体であって、前記広告単位は、広告関連情報を提供するウェブページに割り当てられたＵＲＬ（Uniform Resource Locator）と、前記広告の内容を説明するための情報に対応した１又は複数の参照番号と、を各広告単位に対応付けて掲載し、前記ＵＲＬのウェブページの閲覧者が前記ウェブページにおける広告関連情報内に設定された選択項目を選択／投票することにより、前記閲覧者の注目度を測定する。【選択図】  図１
2006059311.tif 000002
【特許請求の範囲】
【請求項１】
広告を１又は複数の広告単位に分けて掲載した広告媒体であって、
前記広告単位は、広告関連情報を提供するウェブページに割り当てられたＵＲＬ（Uniform Resource Locator）と、前記広告の内容を説明するための情報に対応した１又は複数の参照番号と、を各広告単位に対応付けて掲載し、
前記ＵＲＬのウェブページの閲覧者が前記ウェブページにおける広告関連情報内に設定された選択項目を選択／投票することにより、前記閲覧者の注目度を測定するための投票型懸賞付き広告媒体。
【請求項２】
前記広告媒体は、看板、パンフレット、フリーペーパー、フリーブック、ポスター、無料配付品、電車の中釣り広告、雑誌中の広告ページ、名刺、映画、ビデオ、ＴＶ放送、又はラジオ放送の何れかであることを特徴とする請求項１に記載の広告媒体。
【請求項３】
前記広告単位は、文章、写真、絵画、アニメ、イラスト又は画像を含むことを特徴とする請求項１に記載の広告媒体。
【請求項４】
前記ＵＲＬ及び前記参照番号の掲載箇所は、広告全体の任意の箇所であることを特徴とする請求項１に記載の広告媒体。
【請求項５】
広告単位毎の広告情報をインターネット上に掲載するデータ処置装置であって、
前記広告単位毎に前記広告情報の関連情報を掲載するＵＲＬ（Uniform Resource Locator）において、前記広告の内容を説明するための情報に対応した１又は複数の参照番号を各広告単位に対応付けて掲載する手段と、
前記広告媒体の閲覧者が前記ウェブページにおける広告関連情報内に設定された選択項目を選択／投票した結果を記憶する記憶手段と、
前記記憶手段に記憶された前記広告単位毎の前記選択項目を集計する集計手段と、を備えたことを特徴とするデータ処理装置。
【請求項６】
前記ＵＲＬは、前記広告関連情報を公開するウェブページを閲覧するための手段によって参照されるものであり、前記参照番号は、前記ウェブページを公開する手段によって参照されるものであることを特徴とする請求項５に記載のデータ処理装置。
【発明の詳細な説明】
【技術分野】
【０００１】
本発明は、広告媒体に関し、特に、広告情報を記載すると共に、マーケットリサーチを実施する目的で、広告主又はその代行者側が提供する広告媒体及びウェブページとのリンクを掲載したマーケットリサーチを可能にする広告媒体に関する。
【背景技術】
【０００２】
従来、将来的な顧客への情報提供とマーケットリサーチとを兼ね備えた広告媒体は、この将来的な顧客が広告主側とコミュニケートできるような何等かの手段を備えている。例えば、多くの場合、広告主側のアンケート窓口の住所や電話番号、ＦＡＸ番号、電子メールアトレス等が広告媒体に掲載されている。
【０００３】
また、最近では広告主側のウェブページを参照させるために、そのＵＲＬ（Uniform Resource Locator）が広告媒体に掲載されることが多い。
【０００４】
なお、このような広告媒体としては、例えば、パンフレット、フリーペーパー（チラシ）、フリーブック、電車の中釣り広告、雑誌中の広告ページ、ティッシュ、立て看板等が有り、また、営業用の名刺なども、このような広告媒体の一つと考えられる。
【発明の開示】
【発明が解決しようとする課題】
【０００５】
しかしながら、上記背景技術で述べた従来の広告媒体にあっては、前述のとおり、広告主側のウェブページを参照させるための情報としてはＵＲＬしか掲載されておらず、このため、顧客に対して適切な情報提供がなされず、また、有効な市場調査手段にもなり得ないという問題点があった。また、広告媒体上に記載されていた広告主側の住所、電話番号、ＵＲＬが変更された場合に、当該広告媒体を作製し直さなければならなかった。
【０００６】
このため、顧客側としては、広告媒体に掲載されている広告の内、自己が関心を持った特定の広告に関する追加情報が得られず、また、広告主側としては、顧客が広告媒体を読むことによって示す関心を、特定の広告単位でリサーチできないことになる。
【０００７】
また、広告媒体に掲載されているＵＲＬは、多くの場合は、ウェブページの先頭ページ（即ち、ホームページ）のみを示すものであり、よって、他のウェブページへのアクセスは、ホームページ上に掲載されたリンクによって行わなければならず、顧客にとっては面倒に感じられるという問題点があった。
【０００８】
即ち、広告媒体に掲載された情報が、ウェブページに掲載されている情報と同じであるか若しくは類似のものであった場合は、事前に広告媒体を読んでいた顧客にとっては二度読みをさせられるように感じられる。また、ウェブページ上に掲載された情報が、広告媒体に掲載された情報とは別個のものであった場合には、事前に広告媒体を読んでいた顧客の疑問や関心がはぐらかされる結果となる。
【０００９】
本発明は、上記従来の問題点に鑑みてなされたものであって、広告媒体を読んだ顧客が、該広告媒体上の任意箇所の広告に対応した関連情報をウェブページに掲載して、顧客が広告媒体を閲覧読むことによって示す関心を、任意の広告単位でリサーチできるように配慮された広告媒体及びこれを処理するデータ処理装置を提供することを目的としている。
【００１０】
本発明の他の目的は、ウェブページを掲載すると共に、前記広告媒体の閲覧者が前記ウェブページにおける広告関連情報内に設定された選択項目を選択／投票した結果を記憶して集計する集計するデータ処理装置するデータ処理装置を提供することにある。
【課題を解決するための手段】
【００１１】
上記課題を解決するために、本発明は、広告を１又は複数の広告単位に分けて掲載した広告媒体であって、前記広告単位は、広告関連情報を提供するウェブページに割り当てられたＵＲＬ（Uniform Resource Locator）と、前記広告の内容を説明するための情報に対応した１又は複数の参照番号と、を各広告単位に対応付けて掲載し、前記ＵＲＬのウェブページの閲覧者が前記ウェブページにおける広告関連情報内に設定された選択項目を選択／投票することにより、前記閲覧者の注目度を測定するための投票型懸賞付き広告媒体を提供するものである。
【００１２】
このように構成することにより、広告媒体を読んだ顧客に対して、該顧客が、該広告媒体上の任意箇所の広告に対応した関連情報をウェブページとして閲覧できるように配慮すると共に、広告主側としては、顧客が広告媒体を読むことによって示す関心を、任意の広告単位で詳細にリサーチして市場調査に資することができるようにしている。
【００１３】
ここで、前記広告媒体は、看板、パンフレット、フリーペーパー、フリーブック、ポスター、無料配付品、電車の中釣り広告、雑誌中の広告ページ、名刺、映画、ビデオ、ＴＶ放送、又はラジオ放送の何れかである。
【００１４】
また、前記広告単位は、文章、写真、絵画、アニメ、イラスト又は画像を含む。
そして、前記ＵＲＬ及び前記参照番号の掲載箇所は、広告全体の任意の箇所である。
【００１５】
本発明は、さらに、広告単位毎の広告情報をインターネット上に掲載するデータ処置装置であって、前記広告単位毎に前記広告情報の関連情報を掲載するＵＲＬ（Uniform Resource Locator）において、前記広告の内容を説明するための情報に対応した１又は複数の参照番号を各広告単位に対応付けて掲載する手段と、前記広告媒体の閲覧者が前記ウェブページにおける広告関連情報内に設定された選択項目を選択／投票した結果を記憶する記憶手段と、前記記憶手段に記憶された前記広告単位毎の前記選択項目を集計する集計手段と、を備えたことを特徴とするデータ処理装置を提供するものである。
【００１６】
ここで、前記ＵＲＬは、前記広告関連情報を公開するウェブページを閲覧するための手段によって参照されるものであり、前記参照番号は、前記ウェブページを公開する手段によって参照されるものであることを特徴とする。
【発明の効果】
【００１７】
本発明の投票型懸賞付き広告媒体によれば、顧客側にとっては、広告媒体上の特定の広告単位の内容に関心を抱いた時に、該広告単位に対応した関連情報を、自己が使用する端末装置を介してウェブページとして閲覧できる効果がある。
【００１８】
また、広告主側にとっては、顧客が広告媒体を読むことによって示す関心を、任意の広告単位で詳細にリサーチして、市場調査に役立てることができる効果がある。
【発明を実施するための最良の形態】
【００１９】
以下、本発明の広告媒体及びデータ処理装置の実施形態について、図面を参照しつつ詳細に説明する。
【００２０】
図１は、本発明の実施形態に係る広告媒体の構成を示すものであり、図１（ａ）はその一般形式を示し、図１（ｂ）はその具体的な１例を示す。
図１（ａ）に示すように、本実施形態の広告媒体１の表面には、ＵＲＬ１１と、広告−１（１２１）〜広告−ｎ（１２ｎ）と、広告−１（１２１）〜広告−ｎ（１２ｎ）に対応する参照番号−１（１３１）〜参照番号−ｎ（１３ｎ）とが印刷されている。
【００２１】
また、図１（ｂ）に示すように、広告媒体１の１例としての広告媒体１ａの表面には、「ｗｗｗ．ｓｕｔｅｎａｉｄｅ．ｎｅｔ」（ＵＲＬ１１ａ）と、「ＡＡＡＢＢＢＣＣＣ」（広告−１（１２ａ１））〜ＤＤＤＥＥＥＦＦＦ（広告−ｎ（１２ａｎ））と、「１２３４」（参照番号−１（１３ａ１））〜「５２３４」（参照番号−ｎ（１３ａｎ））とが印刷されている。
【００２２】
広告媒体１の形態は、例えば、看板（立て看板を含む）、パンフレット、フリーペーパー（チラシ等）、フリーブック、ポスター、ティッシュ等の無料配付品、電車の中釣り広告、雑誌中の広告ページ等であってもよく、また、営業用の名刺であってもよい。広告媒体１を形成する材料は、例えば、紙、プラスチック、皮革、ゴム、ガラス等であってもよい。
【００２３】
ＵＲＬ１１は、広告主又はその代理業者が設置する窓口サーバ（例えば、後述の図８に示す広告サーバ７）がインターネット網に解放しているウェブページ（例えば、ホームページ）に割り当てられているＵＲＬ（Uniform Resource Locator）とする。
【００２４】
ＵＲＬ１１は、広告媒体１上の少なくとも１箇所に掲載されていればよく、必ずしも複数箇所に掲載される必要はない。また、その掲載箇所は広告媒体１上の任意の箇所とすることが可能である。
【００２５】
参照番号−１（１３１）〜参照番号−ｎ（１３ｎ）は、前記窓口サーバが用意している広告関連データベース上の広告単位である広告−１（１２１）〜広告−ｎ（１２ｎ）に対応した関連ファイル（又はレコード）を、顧客が参照するための検索キーとして使用されるものであり、前記関連ファイル（又はレコード）と対応する識別番号である。
【００２６】
但し、一般には、広告媒体１上の参照番号は、全ての広告単位に対して付与する必要はなく、広告主側の必要に応じて付与することが可能である。
【００２７】
なお、参照番号−１（１３１）〜参照番号−ｎ（１３ｎ）に対して、前記検索キー以外の他の情報（例えば、抽選番号等）を担わせることも可能である。
【００２８】
広告−１（１２１）〜広告−ｎ（１２ｎ）は、例えば、文章、写真、絵画、アニメ、イラスト等を含むことが可能である。また、その内容には、商品及びサービスシステムの広告や市場調査を意図したものとは限らず、各種抽選（懸賞）の案内や、各種イベントの開催案内等が盛り込まれていてもよい。
【００２９】
なお、前記関連ファイル（又はレコード）に対してＵＲＬを割り当てる場合には、参照番号−１（１３１）〜参照番号−ｎ（１３ｎ）は、このＵＲＬの一部を形成するストリングとなる。
【００３０】
図２は、本発明の実施形態に係る広告媒体の使用方法の１例を示すものである。
同図に示すように、顧客（以下、この顧客とは、事前に広告媒体１を読んでいる顧客とする）は、まず、自己が使用する端末装置（例えば、後述の図７に示すユーザ端末装置）の表示装置上にウェブ閲覧画面２ａ（ホーム画面）を呼び出す。
【００３１】
次に、顧客は、広告媒体１ａに掲載されている情報の１つであるＵＲＬ（１１ａ）、即ち「ｗｗｗ．ｓｕｔｅｎａｉｄｅ．ｎｅｔ」を、ウェブ閲覧画面２ａのＵＲＬ欄に指定して入力（エンター）することにより、広告主又はその代理業者が設置する窓口サーバ（例えば、後述の図８に示す広告サーバ７）がインターネット網に解放しているウェブページ（例えば、ホームページ）が表示されたウェブ閲覧画面２ｂを得る（ダウンロードする）。
【００３２】
次に、顧客は、広告媒体１ａに掲載されている広告から自己が関心を持つ広告の１つ（ここでは、広告−ｎ（１２ｎ））を選び、この広告に対応して表示されている参照番号（ここでは、参照番号−ｎ（１３ｎ））を、ウェブ閲覧画面２ｂに表示される参照番号入力画面２２ａに指定して入力（エンター）する。
【００３３】
これにより、顧客は、前記広告（自己が関心を持つ広告）に関する追加情報が掲載された広告説明画面２３ａを、ウェブ閲覧画面２ｃ上に得ることができる。
【００３４】
この例では、ウェブ閲覧画面２ｃ上に参照番号入力画面２２ｂが表示されるので、顧客は、引き続き、自己が関心を持つ広告に対応する参照番号を入力画面２２ｂに指定して入力することにより、前記広告の追加情報を参照することができる。
【００３５】
なお、参照番号入力画面を省略することも可能であり、その場合には、顧客は最初に表示されたページ（例えば、ホームページ）に戻って、自己が関心を持つ広告に対応する参照番号を前記ページ上の入力画面２２ａに再指定して入力することにより、前記広告の追加情報を参照することができる。
【００３６】
広告説明画面２３ａは、例えば、文章、写真、絵画、アニメ、イラスト等を含む表示可能な内容とすることが可能である。また、その内容には、商品及びサービスシステムの広告や市場調査の説明を意図したものとは限らず、各種抽選（懸賞）の実行手順や、各種イベントの参加手順等が盛り込まれていてもよい。
【００３７】
図３は、本発明の実施形態に係る広告媒体の他の構成を示すものであり、図３（ａ）はその一般形式を示し、図３（ｂ）はその具体的な１例を示す。
同図に示す広告媒体１の他の１構成例では、参照番号−１（１３１）〜参照番号−ｎ（１３ｎ）は、広告−１（１２１）〜広告−ｎ（１２ｎ）の上部に配置されている。
【００３８】
図４は、本発明の実施形態に係る広告媒体の他の構成を示すものであり、図４（ａ）はその一般形式を示し、図４（ｂ）はその具体的な１例を示す。
同図に示す広告媒体１の他の１構成例では、参照番号−１（１３１）〜参照番号−ｎ（１３ｎ）は、広告−１（１２１）〜広告−ｎ（１２ｎ）の末尾に括弧付きで配置されている。
【００３９】
なお、上記の他の構成の他に、図示は省略するが、参照番号−１（１３１）〜参照番号−ｎ（１３ｎ）は、広告−１（１２１）〜広告−ｎ（１２ｎ）の左端や右端に配置することも可能である。
【００４０】
図５は、本発明の実施形態に係る広告媒体の他の構成を示すものであり、図５（ａ）はその一般形式を示し、図５（ｂ）はその具体的な１例を示す。
同図に示す広告媒体１の他の１構成例では、参照番号１３は、紙面（広告媒体１）の最上部に配置される。この構成例は、広告媒体１が雑誌等の連続する複数の広告頁であり、しかも、２頁以降の広告頁である場合に適用することができる。この場合、各広告頁の先頭頁にはＵＲＬが配置される。
【００４１】
図６は、本発明の実施形態に係る広告媒体に記載される参照番号の１構成例を示すものである。
図６に示す例では、参照番号１３は、８桁のコードであり、このコードの先頭１桁は「広告主の業種コード」、２桁目は「分析手法（例えば、定量的分析又は定性的分析）」、３桁目は「定量的分析又は定性的分析のための構成要素（分析項目）」、４〜５桁は「市場調査のテーマの分類」、６〜８桁は「広告主番号」を示すために使用される。
【００４２】
但し、参照番号１３を、任意の桁数のコードとし、さらに、「広告主の業種コード」、「分析手法」、「定量的分析又は定性的分析のための構成要素（分析項目）」、市場調査のテーマの分類」及び「広告主番号」の夫々のコードの位置と桁を、任意に設定できることは言うまでもない。さらに、参照番号１３を単なる連番としたり、商品等に対応する連番にすることも可能である。
【００４３】
図７は、本発明の実施の形態に係る広告媒体に掲載された広告に対応する関連情報を得るための端末装置の１構成例を示すものである。
同図において、本実施の形態に係る広告媒体の関連情報を得るための通信端末装置（ユーザ端末装置１）は、制御部６１と、汎用データＤＢ（データベース）６２と、画像データＤＢ６３とを備える。
【００４４】
制御部６１は、全体を制御すると共にデータの処理及び受渡しを行う主制御部６１１と、インターネット網や電話回線を介してデータを送受信する通信処理部６１２と、画像データベースＤＢ６３を管理するデータベース管理部６１３と、撮影で得られた画像データを入力する画像データ入力部６１４と、画像データに付加するコード等の文字データを入力するデータ入力部６１５と、ウェブページ等を表示するための表示部６１６とを備える。
【００４５】
ユーザ端末装置６としては、図７で示される端末装置の他に、カメラ無し携帯電話、家庭用（据え置き型）のパーソナル・コンピュータ、携帯通信端末装置、通信装置を備えたデジタル家電等の使用が可能である。
【００４６】
図７に示す構成例は、カメラ付き携帯電話の場合であり、一般の端末装置の場合には、撮影画像を記録するための画像データＤＢ６３は必ずしも必要とはされない。
【００４７】
また、主制御部６１１は、ウェブページ閲覧用アプリケーションをインストールしたＯＳ（オペレーティング・システム）によってストアードプログラム方式で制御されるものとする。
【００４８】
顧客は、前記ウェブページ閲覧用アプリケーションによってウェブ参照画面を表示部６１６に表示させ、図２に示すように、このウェブ画面上で、本発明に係る広告媒体に掲載されたＵＲＬや参照番号を指定し入力することによって、自己が関心を持つ広告に対応した関連情報を得ることができる。
【００４９】
図８は、本発明のデータ処理装置１の構成例を示すものである。
同図において、本実施の形態に係る広告媒体に掲載された広告の関連情報を提供する広告サーバ７は、全体の制御と主要な処理を行う制御部７１と、事前に収集された顧客情報を記録する顧客情報ＤＢ７２と、顧客が入力した参照番号をファイル名（又はレコード名）やＵＲＬに変換するための参照番号変換用ＤＢ７３と、参照番号に対応した広告眼連データを格納している広告関連ＤＢ７４と、市場調査のデータ処理とその結果の格納とに使用されるリサーチ用ＤＢ７５と、前広告媒体の閲覧者がウェブページにおける広告関連情報内に設定された選択項目を選択／投票した結果を記憶してこれを集計する手段を備える。
【００５０】
制御部７１は、全体の制御と主要な処理を行う主制御部７１１と、ルータ機能を有する回線制御部７１２と、通信機能を有する通信制御部７１３と、ホームページを運営管理するウェブサーバ７１４と、各データベースを制御すると共に広告関連データのダウンロード手段による配信を行うＤＢ管理サーバ４１５と、主制御部７１１と他の構成要素との間の指令及びデータの伝達を行うコモンバス７１０と、ＤＢ管理サーバ７１５と各データベースとの間の制御信号及びデータの伝達を行う入出力バス７２０とを具備する。
【００５１】
主制御部７１１は、主要な処理として、顧客がウェブ閲覧画面（図２）を介して送信して来た参照番号や、その後の顧客の入力データに基づき、リサーチ用ＤＢ７５を使用して市場調査のための解析を行う。この解析結果は市場調査結果として纏められて、広告主等に提供される。
【００５２】
回線制御部７１２は、インターネット網に接続するためのものであり、具体的には、デジタル終端接続装置（ＤＳＵ）や侵入防止用のファイアウォールアプリケーションを実装したルータなどを備えて構成することができる。
【００５３】
通信制御部７１３は、ユーザ端末装置６（図７）との通信処理を行うと共に、ウェブサーバ７１４などの各サーバを制御し、ユーザ端末装置６が複数の場合は、選択的に回線接続するための制御を行う。なお、この通信制御部７１３は、例えば、インターネット上の時刻同期用のＮＴＰ（Network Time Protocol）サーバや、分散ファイルシステム用のＮＦＳ（Network File System)サーバなどを備えることができる。
【００５４】
通信制御部７１３は、さらに、個人情報などの秘密保持のための暗号化データ転送用の暗号化通信プロトコルを保持し、暗号化通信サービスを実行することができる。
【００５５】
ウェブサーバ７１４は、インターネット網上に開設される広告主側のホームページを運営管理するためのものであり、インターネット網上で基幹的な通信処理を実行するための主コンピュータとして動作する。
【００５６】
より具体的には、ウェブサーバ７１４は、顧客が、ユーザ端末装置６（図７）の表示部６１６に表示されたウェブ閲覧画面（図２）を介してＵＲＬを入力した時に、前記ＵＲＬが割り当てられた広告主側のウェブページにアクセスし、その内容をユーザ端末装置６にダウンロードする。また、顧客が、参照番号入力画面２２（図２）を介して参照番号を入力した時は、参照番号変換用ＤＢ７３を使用して、この参照番号をファイル名（又はレコード名）やＵＲＬに変換し、このファイル名（又はレコード名）やＵＲＬで指定される広告関連データＤＢ７４上のデータにアクセスして、その内容をユーザ端末装置６にダウンロードする（図２参照）。
【００５７】
なお、前記の本発明に係る実施形態では、関連情報を参照する手段として、広告媒体に、広告主側のウェブページを参照するためのＵＲＬを掲載する方法を採用したが、このＵＲＬの代わりにＥメールアドレスを掲載することも可能である。この場合には、顧客は、一旦このＥメールアドレスにてユーザ端末装置６（図７）から空メールを送信し、その応答として自動返信されたメール文（テキスト）中に記載されたＵＲＬをクリックすることにより、広告主側のウェブページを参照することができる。
【産業上の利用可能性】
【００５８】
本発明は、雑誌中の広告、パンフレット等の広告媒体に関し、特に、広告情報を記載すると共に、マーケットリサーチを実施する目的で、広告主側が提供するウェブページとのリンクを掲載した広告媒体に関するものであり、産業上の利用可能性を有する。
【図面の簡単な説明】
【００５９】
【図１】本発明の実施形態に係る広告媒体の構成を示すものであり、（ａ）はその一般形式を示し、（ｂ）はその具体的な１例を示す。
【図２】本発明の実施形態に係る広告媒体の使用方法の１例を示すものである。
【図３】本発明の実施形態に係る広告媒体の他の構成を示すものであり、（ａ）はその一般形式を示し、（ｂ）はその具体的な１例を示す。
【図４】本発明の実施形態に係る広告媒体の他の構成を示すものであり、（ａ）はその一般形式を示し、（ｂ）はその具体的な１例を示す。
【図５】本発明の実施形態に係る広告媒体の他の構成を示すものであり、（ａ）はその一般形式を示し、（ｂ）はその具体的な１例を示す。
【図６】本発明の実施形態に係る広告媒体に記載される参照番号の１構成例を示すものである。
【図７】本発明の実施の形態に係る広告媒体に掲載された広告に対応する関連情報を得るための端末装置の１構成例を示すものである。
【図８】本発明のデータ処理装置の構成例を示すものである。
【符号の説明】
【００６０】
１，１ａ，１ｂ：広告媒体（本発明に係る広告媒体）
２ａ〜２ｃ：ウェブ閲覧画面
７：データ処理装置
１１：ＵＲＬ
１２１〜１２ｎ：広告−１〜広告−ｎ
１３１〜１３ｎ：参照番号−１〜参照番号−ｎ
６１：ユーザ端末装置
６２：汎用データＤＢ（データベース）
６３：画像データＤＢ
７１：制御部
７２：顧客情報ＤＢ
７３：参照番号変換用ＤＢ
７４：広告関連データＤＢ
７５：リサーチ用ＤＢ
【図１】
2006059311.tif 000003
【図２】
2006059311.tif 000004
【図３】
2006059311.tif 000005
【図４】
2006059311.tif 000006
【図５】
2006059311.tif 000007
【図６】
2006059311.tif 000008
【図７】
2006059311.tif 000009
【図８】
2006059311.tif 000010